(57)【要約】【課題】水中に投入した際に、あたかも生きている魚のように自然に遊泳するように見え、高度な魚の誘引効果と捕食性を有するばかりでなく、環境に優しく保管の容易な平滑固形状魚餌及びその製造方法を提供する。【解決手段】水産物を含む水産廃棄物２０〜６０重量％、澱粉などの多糖類１０〜６０重量％、可食性の可塑剤５〜４０重量％からなる組成物を熱可塑成形した実質的に気泡を含まない固形状魚餌１において、外形を魚に模して形成すると共に、平滑な輪郭を呈するように外表面１ａを光輝性鱗片２で被覆する。【選択図】図１
2010035434.tif 000002
【特許請求の範囲】
【請求項１】
水産物を含む水産廃棄物２０〜６０重量％、澱粉などの多糖類１０〜６０重量％、可食性の可塑剤５〜４０重量％からなる組成物を熱可塑成形した実質的に気泡を含まない固形状魚餌において、外形を魚に模して形成すると共に、滑らかな輪郭を呈するように、外表面を光輝性鱗片で被覆したことを特徴とする平滑固形状魚餌。
【請求項２】
光輝性鱗片が雲母であることを特徴とする請求項１記載の平滑固形状魚餌。
【請求項３】
外表面積の割合２０％〜８０％を光輝性鱗片で被覆したことを特徴とする請求項１又は請求項２記載の平滑固形状魚餌。
【請求項４】
水産物を含む水産廃棄物２０〜６０重量％、澱粉などの多糖類１０〜６０重量％、可食性の可塑剤５〜４０重量％からなる組成物の破砕混合工程、１００℃以上の炭酸ガスの超臨界又は亜臨界条件の滅菌工程、脱水縮合工程、押出し熱可塑工程を含み、当該押出し熱可塑加工により押出された棒状塑性物の外表面に光輝性鱗片を付着させた後、魚形状の金型にてプレス成形し、前記光輝性鱗片を魚餌表面に埋設することを特徴とする平滑固形状魚餌の製造方法。
【発明の詳細な説明】
【技術分野】
【０００１】
本発明は、魚類などの水産物を含む水産廃棄物を原料とした固形状の魚餌に関するものである。
【背景技術】
【０００２】
魚餌は、魚形状の輪郭をし、尚且つ表面が天然魚に似た模様を呈したものが高い集魚性を発揮することが分かっている。すなわち、天然魚に近似した形態の餌を用いることで、実際の漁においても高い漁獲が期待できる。
【０００３】
そこで、本発明者らは、先に水産廃棄物を魚餌に加工する方法において、その外形を、例えばイワシのような魚形状に成形し、その表面全体又は特定の部位に生分解性の塗料を塗布して被覆する方法を提案している（特許文献１参照。）。
【０００４】
【特許文献１】特開２００８−８６２７４号公報
【発明の開示】
【発明が解決しようとする課題】
【０００５】
しかしながら、上記方法によると、塗料の塗布状態によっては魚餌表面に凹凸が生じ、海中に投入した際、その凹凸抵抗により魚餌の動きが不自然になり、捕食性が低下するおそれがあることが判った。そこで、本発明者らは、魚餌としての機能をさらに高めるために鋭意研究した結果、本発明をするに至った。すなわち、本発明の魚餌は、水中に投入した際に、あたかも生魚が自然に遊泳するように見え、高い魚の誘引効果と捕食性を有するばかりでなく、環境に優しく保管の容易な平滑固形状魚餌及びその製造方法を提供することを目的とするものである。
【課題を解決するための手段】
【０００６】
そこで、本発明の平滑固形状魚餌は、水産物を含む水産廃棄物２０〜６０重量％、澱粉などの多糖類１０〜６０重量％、可食性の可塑剤５〜４０重量％からなる組成物を熱可塑成形した実質的に気泡を含まない固形状魚餌において、外形を魚に模して形成すると共に、滑らかな輪郭を呈するように、外表面を光輝性鱗片で被覆したことを第１の特徴とする。また、光輝性鱗片が雲母であることを第２の特徴とする。さらに、外表面積の割合２０％〜８０％を光輝性鱗片で被覆したことを第３の特徴とする。またさらに、本発明の平滑固形状魚餌の製造方法において、水産物を含む水産廃棄物２０〜６０重量％、澱粉などの多糖類１０〜６０重量％、可食性の可塑剤５〜４０重量％からなる組成物の破砕混合工程、１００℃以上の炭酸ガスの超臨界又は亜臨界条件の滅菌工程、脱水縮合工程、押出し熱可塑工程を含み、当該押出し熱可塑加工により押出された棒状塑性物の外表面に光輝性鱗片を付着させた後、魚形状の金型にてプレス成形し、前記光輝性鱗片を魚餌表面に埋設することを第５の特徴とする。
【発明の効果】
【０００７】
本発明の平滑固形状魚餌は、水中に投入した際、光輝性鱗片に光が反射して輝き、水流中をあたかも生魚のように自然に遊泳するように見える。このため、捕食魚の誘引効果、換言すれば集魚性に優れていると推測できる。また、光輝性鱗片にて魚餌の全体若しくは特定の部位を被覆することで、次のような効果を得ることができる。例えば、後述する実施例１の魚形状の魚餌を使用する場合、海水に対する膨潤速度を遅延させたい場合については、魚餌表面の被覆させる割合を多くすることでコントロールすることができる。また、海水中において部分的に強度を付与したい場合においても、当該部位を被覆することで海水による膨潤を抑制することができる。一方、被覆しない部位については海水に暴露されることで魚餌中の魚を誘引する物質が徐放拡散されるので良好な集魚効果を得ることができる。
【０００８】
本発明の魚餌の比重は１．００から１．１５であり、使途により比重を調整することが可能である。すなわち、例えば、養殖場であれば、その水中深度に対する沈降速度を適宜変化させることができ、養殖場の底面に魚餌が堆積することによる環境汚染を招くことがない。また、本発明の魚餌は押出し熱可塑成形により製造しているため、サイズを自由に変えることができ、養殖魚の成長の度合いに応じてサイズ調節することが可能である。また、含水率が低いため酸化防止を図った軽包装のみで常温であっても長期間保管することができる。  本発明の平滑固形状魚餌は、外表面を光輝性鱗片で被覆したもので、滑らかな（凹凸の無い）状態に形成される。尚、本明細書ではこの状態を「平滑」と表現する。
【発明を実施するための最良の形態】
【０００９】
以下、本発明の実施の形態を図面に示す実施例に基づいて説明する。尚、便宜上、同様の構成要素には同一の参照符号を付す。
図１は本発明に係る魚餌の一実施例を示す外観図、図２は本実施例に係る光輝性鱗片の付着方法を示す要部拡大断面図、図３及び図４は光輝性鱗片の他の付着方法を示す要部拡大断面図である。
【００１０】
本発明に係る魚餌の原料としての水産物には、魚介類、海藻類などがあり、水産廃棄物には加工商品化の途中で魚介類や海藻類から除外された不要部位、例えば魚類の頭、尾鰭、中骨、内臓、貝類の内臓、海藻類の根、腐敗した魚介類などが挙げられる。本発明では、これら全てのものも原料として使用することができる。また、保管状態が悪く、部分的に腐敗して食用に適さなくなった水産物も同様に原料として使用することができ経済的である。また、使用する水産廃棄物を選択的に使用することにより、捕食する魚種に適応した自然餌に近い魚餌を提供することができる。
【００１１】
また、栄養分がそのままで魚の骨まで可食に加工された缶詰を想起すると、本発明工程で処理された骨、貝殻や甲殻類の殻も魚餌となり得る。また貝殻は魚餌の比重調節剤としても使用できる。成魚の肥育には脂肪分の多い魚餌を給餌する必要があるが、脂肪分が多くなると魚餌の比重は小さくなる。そこで、比重調節剤として、例えば、ほたて貝の貝殻粉末（真比重は２．７）を、必要に応じて１５重量％程度まで配合する。
【００１２】
本発明では、通常は廃棄物として扱われる魚類の残滓などの水産廃棄物をより多く主原料として使用するほうが経済的に有利であり、資源の有効利用の観点からも望ましい。しかし、原料が水産廃棄物のみでは熱可塑化を上手く行なうことができず、魚餌強度が不足してしまい、水中での分解及び崩壊速度が速くなり過ぎることがある。このため、水産廃棄物の配合率は原材料全体の２０重量％〜６０重量％であることが好ましく、さらに好ましくは４０重量％〜６０重量％である。
【００１３】
また、水産廃棄物の繋ぎ材料として多糖類を使用することにより、魚餌の強度の向上、膨潤速度並びに崩壊速度を遅延させることができる。多糖類としては、澱粉、セルロース、ヘミセルロースなどを使用する。また、多糖類が多く含まれるイモ類、穀類などをそのまま使用することもできる。多糖類の配合割合は、水産廃棄物の種類により異なる。また、澱粉、セルロースなどは比重が１．５と大きいので、脂肪分が多い材料の場合は比重を大きくするための増量剤としても使用することができる。多糖類の配合割合については、原材料全体の１０重量％〜６０重量％であることが好ましく、さらに好ましくは１０重量％〜３５重量％である。このように、繋ぎ材料として、石油由来のプラスチック樹脂ではなく植物由来の安価な澱粉等の多糖類を使用することは、経済的に有利であり、また自然環境に対しても優しい。
【００１４】
また、本発明の魚餌の強度の向上、膨潤速度並びに分解・崩壊速度を遅延させるために生分解性の樹脂を使用することもできる。生分解性樹脂としては、脂肪族、芳香族のポリエステル又はこれらの共重合ポリエステルなどを使用することができる。
【００１５】
本発明の魚餌は水産物を含む水産廃棄物と多糖類を混合し、押出し機により熱可塑化することにより樹脂化し、これを冷却して固化させることにより固形状の魚餌とするものである。熱可塑化する場合、可塑剤を加えることにより、熱可塑性を向上させることができる。また、可塑剤の配合割合を増加させることにより、さらに熱可塑性を向上させることができる。可塑剤には可食性のグリセリン、プロピレングリコール、ソルビトールなどが使用できる。
【００１６】
前記可塑剤の添加は熱可塑性を向上させるだけでなく、熱可塑化した樹脂に柔軟性を付与することができる。例えば、本発明の魚餌をマグロ延縄漁などの釣餌であるイワシやサンマなどの生魚に替えて使用する場合、天然魚体に近似した適度な柔軟性を持たせ、捕食魚が摂餌した際の食感を生魚様にするのが望ましい。その際、経済性を考慮すると、可塑剤の配合割合は原材料全体の５重量％〜４０重量％であることが好ましく、さらに好ましくは５重量％〜２５重量％である。
【００１７】
また、可塑剤を配合する際に、魚油、肝油、エビ油、イカ油を添加すると、魚餌に可塑性や柔軟性を付与することができるばかりでなく、栄養成分となる。また、その他、各種アミノ酸、アミノ酸混合物、ビタミン、ミネラル、色素、脂肪、水産動物エキスや精製魚油（油脂）等を必要に応じて配合しても良い。
【００１８】
魚餌は終末的には通常の魚の生息水域から除去される必要があり、その残滓は川底あるいは海底に沈降させなければならない。したがって、淡水と海水との違いにより異なるが、魚餌の比重は淡水や海水の比重より大きくなければならない。淡水の比重はその水温により異なるが１から０．９９５、海水の比重は場所と水温により異なるが１．０２８から１．０２０である。魚餌の比重が１．００未満では淡水においてさえ長期間水面に浮遊し、腐敗すると魚の生息環境を汚染する。しかしながら、魚餌の比重が１．１５を越えると海水中であっても沈降速度が速すぎてしまい摂取率が低下するばかりでなく、沈降堆積して腐敗する残滓量が増加し、前記と同様に生息環境を汚染する。そこで、魚餌に比重調整剤を添加して沈降速度を調整することにより、吸水後の比重を１から１．１５にコントロールすることで、このような汚染を生じ難くする。
【００１９】
魚餌の比重の測定は、魚餌小片を不織布製ティーバッグに入れ、純水に１時間浸漬後、遠心脱水機で付着水を除去し、ティーバッグごと秤量瓶に移して計量し、ティーバッグ重量を差し引いた重量Ｘ１を求め、次に、標線まで純水Wを加えて計量して重量Ｘ２を求めた。予め秤量瓶の質量Ｘ０と標線までの純水の質量W０、ティーバッグの容量ＴＶを求め、計算式ＳＧ＝Ｘ１／（W０＋Ｘ１−Ｘ２−ＴＶ）から吸水後の魚餌比重ＳＧを求めた。
【００２０】
本発明に係る魚餌の製造は破砕混合工程、１００℃以上の炭酸ガス超臨界又は亜臨界条件の殺菌又は滅菌工程、脱水縮合工程、押出し熱可塑成形工程を一貫連続することが望ましい。炭酸ガスは、温度３１．１℃以上、圧力７．４８MＰa以上の条件下で超臨界状態となり、温度３１．１℃以上、圧力７．４８MＰa未満の条件下又は温度３１．１℃未満、圧力７．４８MＰa以上の条件下で亜臨界状態となる。そして、これらの工程により殺菌又は滅菌された実質的に気泡を含まない熱可塑樹脂化された固形状魚餌を得ることができる。
【００２１】
ここで、腐敗とは細菌により蛋白質、炭水化物、脂肪などが分解された状態を意味する。腐敗したものを摂取すると分解物が動物の生体に悪影響を及ぼし中毒が発生する。しかし、本発明の魚餌の場合、部分的に腐敗した水産廃棄物を原料として利用した場合においても、１００℃以上の炭酸ガス超臨界又は亜臨界条件で殺菌又は滅菌した後、脱水縮合工程で再縮合され魚餌となるため、加工後の腐敗を防止することができ、魚体に害はなく、その魚を摂取する人体にも害は及ばない。
【００２２】
水産廃棄物には水分が多く含まれているが、その水分は可塑剤として作用し、不要な水分は脱水縮合工程で１５重量％以下に調整する。尚、魚餌の含水率は１００℃の真空乾燥機の中に２４時間放置して乾燥させた後の重量と乾燥前の重量を比較して求めた。
【００２３】
本発明の魚餌は、押出し熱可塑成形により製造するため、魚餌の形状やサイズは金型等を用いて自由に変えることができ、養殖魚に与える場合は、魚の成長度合いにより調節することが可能である。例えば、押出し時に、粉末状或いはペレット状に熱可塑成形することにより、稚魚や小魚用の魚餌として使用することができる。また、殺菌又は滅菌されており、さらには含水率が低いので、軽包装で常温においても長期保管することができる。
【実施例１】
【００２４】
生アジ３５重量％、とうもろこし澱粉３０重量％、グリセリン２５．２重量％、乳酸（５０％水溶液）２．７重量％、生分解性樹脂（エコフレックス：商品名  ＢＡＳＦジャパン株式会社製）５．９重量％、飽和炭酸水（Ｐｈ＝４．５）０．４重量％、精製魚油０．８重量％を破砕混合装置に投入し、粉砕混合したスラリー（粥状混合物）を、せん断力下、１４５℃、３ＭＰａで滅菌処理を行った。その後、連続した減圧状態での脱水縮合工程で、スラリーの含水量を１５重量％に調整し、直径３６ｍｍのノズルからダイス圧力０．２ＭＰaで棒状塑性物を押出し、押出された棒状塑性物の外表面に雲母薄片からなる光輝性鱗片２を付着させた後、魚形状の金型にてプレス成形し、前記光輝性鱗片２を外表面１ａに埋設し、図１に示すように、外表面１Ａが光輝性鱗片２で被覆された平滑固形状魚餌１を得た。
【００２５】
前記工程で得られた魚形状の魚餌１は、腹部に相当する部分に光輝性鱗片２が埋没し、図２に示すように、魚餌１の表面の輪郭は平滑に仕上がっていた。実施例１で製造した魚餌１を評価するために、まぐろ延縄漁用の釣針に魚餌１を取り付けて、宮崎県日向市門川港の海中に投入し約２ｍまで沈降させた。３〜４時間経過後も魚餌１の外表面１ａから光輝性鱗片２が剥離することはなく、完全に剥離したのは約６時間後であった。この結果から分かるように、実施例１の魚餌１は、魚餌としての充分な強度、良好な膨潤速度及び分解・崩壊速度を有していることが分かった。
［比較例１］
【００２６】
生アジ３５重量％、とうもろこし澱粉３０重量％、グリセリン２５．２重量％、乳酸（５０％水溶液）２．７重量％、生分解性樹脂（エコフレックス：商品名  ＢＡＳＦジャパン株式会社）５．９重量％、飽和炭酸水（Ｐｈ＝４．５）０．４重量％、精製魚油０．８重量％を破砕混合装置に投入し、粉砕混合したスラリー（粥状混合物）を、せん断力下、１４５℃、３ＭＰａで滅菌処理を行った。その後、連続した減圧状態での脱水縮合工程で、スラリーの含水量を１５重量％に調整し、直径３６ｍｍのノズルからダイス圧力０．２ＭＰaで棒状塑性物を押出し、魚形状の金型にてプレス成形した。
【００２７】
次いで、一旦冷却した魚形状の塑性物を、加熱板にて９０℃まで再度加温した後、光輝性鱗片２を外表面１ａに添付して再度プレスして埋設し、平滑固形状魚餌１を得た。得られた魚形状の魚餌１には、腹側に相当する部分に光輝性鱗片２が埋設されたが、その外表面１ａには、図３に示すように、埋設された光輝性鱗片２の周囲に外溝１ｂが形成された。比較例１で製造した魚餌１を評価するために、まぐろ延縄漁用の釣針に取り付けて、宮崎県日向市門川港の海中に投入し、約２ｍまで沈降させた。比較例１の魚餌１の外表面は海流によって白く泡立ち、不自然に左右に揺動した。これは、前記外溝１ｂにより、外表面１ａに乱流が生じてしまうためだと推測される。また、埋設した光輝性鱗片２は約１時間経過後には完全に剥離した。したがって、魚餌としての良好な膨潤速度及び分解・崩壊速度は得られず、比較例１の方法で作成した魚餌１では充分な捕食効果が得られないことが分かった。
［比較例２］
【００２８】
比較例１において、魚状に成形された塑性物が冷却した後、アクリル系接着剤３を用いて光輝性鱗片２を接着して外表面１ａを被覆した。図４に示すように、光輝性鱗片２の被接着部分は魚餌１の外表面１ａから浮き上がった状態であった。比較例２で製造した魚餌１を評価するために、まぐろ延縄漁用の釣針に取り付けて、宮崎県日向市門川港の海中に投入し、約２ｍまで沈降させた。比較例２の魚餌１も海流によって外表面１ａが白く泡立ち、不自然に左右に揺動した。また、接着した光輝性鱗片２は約２時間経過後には完全に剥離した。したがって、魚餌としての良好な膨潤速度及び分解・崩壊速度は得られず、比較例２の方法で作成した魚餌１では充分な捕食効果が得られないことが分かった。
【図面の簡単な説明】
【００２９】
【図１】本発明に係る魚餌を示す外観図である。
【図２】本実施例に係る光輝性鱗片の付着方法を示す要部拡大断面図である。
【図３】光輝性鱗片の他の付着方法を示す要部拡大断面図である。
【図４】光輝性鱗片の他の付着方法を示す要部拡大断面図である。
【符号の説明】
【００３０】
１    魚餌
１ａ  外表面
１ｂ  溝
２    光輝性鱗片（雲母薄片）
３    接着剤
【図１】
2010035434.tif 000003
【図２】
2010035434.tif 000004
【図３】
2010035434.tif 000005
【図４】
2010035434.tif 000006